(57)【要約】【課題】室内のタスク域及びアンビエント域の温度特性を改善し、個人の快適性要求を十分満足させることができるタスクアンビエント空調システムを提供すること。【解決手段】床１に開口する吹出口から吹き出される空調空気によって室内のタスク域Ｓを空調するタスクアンビエント空調システムにおいて、前記吹出口から吹き出される空調空気（給気ＳＡ）の吹出方向を変化させて空調空気（給気ＳＡ）を振幅拡散させる吹出装置（吹出手段）１１を床下空間Ｓ１の前記吹出口部分に設け、該吹出装置１１によって空調空気（給気ＳＡ）を一定流速でタスク域Ｓに向けて吹き出す時間とそれ以外のアンビエント域に向けて吹き出す時間を制御してタスク域Ｓの温度調整を行う。又、吹出装置１１に、気流切換手段として流体素子モジュールを設ける。【選択図】図１
2006170471.tif 000002
【特許請求の範囲】
【請求項１】
床に開口する吹出口から吹き出される空調空気によって室内のタスク域を空調するタスクアンビエント空調システムにおいて、
前記吹出口から吹き出される空調空気の吹出方向を変化させて空調空気を振幅拡散させる吹出手段を床下空間の前記吹出口部分に設け、該吹出手段によって空調空気を一定流速でタスク域に向けて吹き出す時間とそれ以外のアンビエント域に向けて吹き出す時間を制御してタスク域の温度調整を行うようにしたことを特徴とするタスクアンビエント空調システム。
【請求項２】
前記吹出手段に、気流切換手段として流体素子モジュールを設けたことを特徴とする請求項１記載のタスクアンビエント空調システム。
【請求項３】
前記吹出手段に、気流切換手段としてダンパユニットを設けたことを特徴とする請求項１記載のタスクアンビエント空調システム。
【請求項４】
前記吹出手段による空調空気の吹出時間をワイヤレスリモコンによる遠隔操作によって制御することを特徴とする請求項１〜３の何れかに記載のタスクアンビエント空調システム。
【請求項５】
天井裏空間と床下空間を含む非居住空間で空調空気の循環路を形成し、該循環路に空調ユニットの少なくとも室内機を配置したことを特徴とする請求項１〜４の何れかに記載のタスクアンビエント空調システム。
【発明の詳細な説明】
【技術分野】
【０００１】
本発明は、床吹き出し方式によって室内のタスク域とアンビエント域を空調するタスクアンビエント空調システムに関するものである。
【背景技術】
【０００２】
近年、オフィスビルの空調手法として、オフィスの就業者が滞在する作業空間（以下、「タスク域」と称する）とそれ以外の通路や天井等の空間（以下、「アンビエント域」と称する）とを個別に制御するタスクアンビエント空調システムが提案されている。この空調システムによれば、室内の冷暖房や換気を均一に行う従来の空調システムとは異なり、必要なタスク域を重点的に冷暖房或は換気するため、消費エネルギを節減することができるとともに、暑さ寒さや気流の強弱に関する個人の好みに対してきめ細かく対応することができるというメリットが得られる。
【０００３】
ところで、従来の空調システムには、天井側から空調空気を吹き出し、この空調空気によって室内の雰囲気を攪拌して均一化する方式が採用されていたが、この方式は局所の制御に向かないため、タスク域を重点的に空調するタスクアンビエント空調システムにおいては、床面に形成された吹出口から空調空気をタスク域に向けて吹き出す床吹き出し方式が専ら採用されている。
【０００４】
斯かる床吹き出し方式を採用する場合、例えば図９に示すように、床下空間に設けられた吹出装置１１１によって床１０１の吹出口から吹き出される空調空気（給気ＳＡ）を旋回させることによって、机１０４と椅子１０５が設置されているタスク域の雰囲気を拡散させてドラフト（気流）感を緩和したり（特許文献１参照）、図１０に示すように、吹出口からの空調空気（給気ＳＡ）の旋回流に加え、就業者個人に向けて空調空気（給気ＳＡ）を吹き出す個人吹出口１４０をパーテーション１５０の上端に別個設ける方式が採用されている（特許文献２）。
【０００５】
【特許文献１】特開平６−１８５７５７号公報
【特許文献２】特開２００３−２７９１００号公報
【発明の開示】
【発明が解決しようとする課題】
【０００６】
ところが、図９に示す方式では、床１０１の吹出口から吹き出される空調空気（給気ＳＡ）の旋回流のみでは就業中の個人の要求に十分応えることができず、又、図１０に示す方式では、タスク域の温度調整は個人吹出口１４０の開口面積を調整することによってなされているため、開口面積を絞ると、空調空気（給気ＳＡ）の吹出速度が遅くなって個人まで空調空気（給気ＳＡ）が届かない場合があり、個人の快適性要求を十分満足させることができなかった。
【０００７】
又、図９及び図１０に示す従来の方式では、吹出装置１１１には空調空気（給気ＳＡ）の風量を調節するための可動部が設けられているため、構造が複雑化し、故障が発生し易い上にコストアップを招くという問題もあった。
【０００８】
本発明は上記問題に鑑みてなされたもので、その目的とする処は、室内のタスク域の温度特性を改善し、個人の快適性要求を十分満足させることができるとともに、併せてアンビエント域の空調も行うことができるタスクアンビエント空調システムを提供することにある。
【課題を解決するための手段】
【０００９】
上記目的を達成するため、請求項１記載の発明は、床に開口する吹出口から吹き出される空調空気によって室内のタスク域を空調するタスクアンビエント空調システムにおいて、前記吹出口から吹き出される空調空気の吹出方向を変化させて空調空気を振幅拡散させる吹出手段を床下空間の前記吹出口部分に設け、該吹出手段によって空調空気を一定流速でタスク域に向けて吹き出す時間とそれ以外のアンビエント域に向けて吹き出す時間を制御してタスク域の温度調整を行うようにしたことを特徴とする。
【００１０】
請求項２記載の発明は、請求項１記載の発明において、前記吹出手段に、気流切換手段として流体素子モジュールを設けたことを特徴とする。
【００１１】
請求項３記載の発明は、請求項１記載の発明において、前記吹出手段に、気流切換手段としてダンパユニットを設けたことを特徴とする。
【００１２】
請求項４記載の発明は、請求項１〜３の何れかに記載の発明において、前記吹出手段による空調空気の吹出時間をワイヤレスリモコンによる遠隔操作によって制御することを特徴とする。
【００１３】
請求項５記載の発明は、請求項１〜４の何れかに記載の発明において、天井裏空間と床下空間を含む非居住空間で空調空気の循環路を形成し、該循環路に空調ユニットの少なくとも室内機を配置したことを特徴とする。
【発明の効果】
【００１４】
請求項１記載の発明によれば、吹出面積を絞ることなく、空調空気の吹出流速を一定に保ちつつ、タスク域における空調空気の吹出方向を変化させて該空調空気を振幅拡散させるとともに、タスク域の温度調整を、タスク域に向けて吹き出す時間とそれ以外のアンビエント域に向けて吹き出す時間を制御することによって行うようにしたため、空調空気が個人まで十分届き、室内のタスク域の温度特性が改善され、個人の快適性要求を十分満足させることができるとともに、併せてアンビエント域の空調も行うことができる。
【００１５】
請求項２記載の発明によれば、気流切換手段として可動部分の少ない流体素子モジュールを用い、請求項３記載の発明によれば、気流切換手段として同じく可動部分の少ないダンパユニットを用いたため、吹出手段の構造が単純化してコストダウンが図られるとともに、故障の発生が抑えられる。
【００１６】
請求項４記載の発明によれば、吹出手段による空調空気の吹出時間をワイヤレスリモコンによる遠隔操作によって個人が自由に制御することができるため、個人の快適性要求が簡便な方法で満足される。
【００１７】
請求項５記載の発明によれば、天井裏空間と床下空間を含む非居住空間で空調空気の循環路を形成し、該循環路に空調ユニットの少なくとも室内機を配置したため、空調空気を循環させるためのダクトを別途設ける必要がなく、又、１台の室内機でタスク域とアンビエント域の空調を賄うことができ、システム構成の単純化とコストダウンを図ることができる。
【発明を実施するための最良の形態】
【００１８】
以下に本発明の実施の形態を添付図面に基づいて説明する。
【００１９】
図１は本発明に係るタスクアンビエント空調システムの基本構成を示すオフィスビルのフロア縦断面図であり、同図に示すように、オフィスビルの１フロアの床１と天井２及び側壁３で区画された室が人（就業者）Ｍが就業する居住空間を構成し、他の床下空間Ｓ１と天井裏空間Ｓ２及びこれら両空間Ｓ１，Ｓ２をを連通せしめる上下方向に長い壁裏空間Ｓ３が非居住空間を構成している。
【００２０】
又、上記居住空間内（室内）において床１上に複数の机４や椅子５が設置された空間（床から高さ２ｍ程度までの空間（図１の鎖線よりも下方の空間）は、就業者Ｍが仕事を行うタスク域Ｓを構成しており、それから上の空間及びタスク域Ｓの中で通路として利用される空間は、アンビエント域を構成している。
【００２１】
ところで、床１の所定位置（机４や椅子５が設置されている場所に近い位置）には複数の吹出口（不図示）が開口しており、天井２に設置された蛍光灯等の複数の照明機器６の周囲には不図示の排出口が開口している。
【００２２】
又、互いに連通する前記床下空間Ｓ１と天井裏空間Ｓ２及び壁裏空間Ｓ３は、空調空気が循環する循環路を構成しており、壁裏空間Ｓ３には空調ユニットの一部を構成する室内機、具体的にはフィルタ７、室内熱交換器（直膨コイルユニット）８、加湿器９及びファン１０が設置されている。尚、図示しないが、空調ユニットの残りの部分を構成するコンプレッサ、室外熱交換器等の室外機は屋外に設置されており、この室外機と前記室内熱交換器８とは冷媒配管によって接続され、これらは冷媒が循環するための閉ループを構成している。
【００２３】
更に、床下空間Ｓ１の床１の下面であって、且つ、床１に開口する前記吹出口部分には、吹出装置１１がそれぞれ設置されている。ここで、各吹出装置１１の構成と作用の詳細を図２〜図４に基づいて説明する。
【００２４】
図２は吹出装置の側面図、図３は同吹出装置の平面図、図４は同吹出装置の基本構成と作用を示す流体素子モジュールの断面図である。
【００２５】
図２及び図３に示す吹出装置１１は、略矩形ボックス状のハウジング１２内に、モータ１３によって回転駆動されるファン１４と気流切換手段としての流体素子モジュール１５を設置して構成されている。ここで、ハウジング１２内の片半分上部には隔壁１６，１７によって区画された吸気室Ｓａが形成されており、ハウジング１２の３つの側面には、前記吸気室Ｓａに開口する矩形状の吸気口１２ａが各２つずつ形成されている。そして、吸気室Ｓａの底面を構成する前記隔壁１７には前記ファン１４が取り付けられており、このファン１４の円形の吸入口１４ａは、前記吸気室Ｓａに開口している。
【００２６】
他方、前記流体素子モジュール１５は、床１から吹き出される空調空気（給気ＳＡ）の吹出方向を切り換えるものであって、矩形ボックス状のケーシング１８内には、図４に詳細に示すように、相対向する隔壁１９，２０によって区画された２つの室Ｓｘ，Ｓｙがそれぞれ形成されており、各室Ｓｘ，Ｓｙには配管２１，２２がそれぞれ接続されている。即ち、図３に示すように、各配管２１，２２は、ケーシング１８の短辺側端面に接続されており、これらの他端はハウジング１２内に開口しており、これらの開口部は、ソレノイド２３によって駆動されるバルブ２４によって選択的に開閉される。尚、ソレノイド２３は、図４に示す制御手段２５によってその駆動が制御されて前記配管２１，２２を選択的に開閉する。
【００２７】
又、図４に詳細に示すように、ケーシング１８内の中央には隔壁１９，２０によって縦方向の通路２６が形成されており、この通路２６の上端部と下端部はそれぞれ上下に向かって開くテーパ状を成している。そして、通路２６の上端開口部２６ａは、床１に形成された不図示の吹出口を介して居住空間に開口しており、下端開口部２６ｂは、ハウジング１２内に開口している。
【００２８】
更に、ケーシング１８内の前記隔壁１９，２０の相対向する部位には、通路２６に開口する流出口２７，２８がそれぞれ形成されている。
【００２９】
尚、本実施の形態では、流体素子モジュール１５として、細長い矩形ボックス状のケーシング１８を備えるものを用いたが、図５の斜視図に示すように、円筒状のケーシング１８’を備える流体素子モジュール１５’を用いても良い。又、図４に示す流体素子モジュール１５の隔壁１９，２０の傾斜面１９ａ，２０ａの角度を変えることにより、任意の方向に吹き分けることができる。
【００３０】
次に、以上のように構成されたタスク空調システムの作用を図６及び図７を参照しながら説明する。尚、図６は空調空気（給気ＳＡ）の吹出方向と吹出時間の制御を示すタイミングチャート、図７は吹出装置から吹き出される空調空気（給気ＳＡ）の振幅拡散の様子を示す部分断面図である。
【００３１】
オフィスの就業時間において空調ユニットが駆動されると、例えば夏期においては、壁裏空間Ｓ２に設置された室内熱交換器８がエバポレータとして機能し、この室内熱交換器８において冷媒の蒸発潜熱を奪われて冷却された温度の低い空調空気（給気ＳＡ）は、ファン１０によって床下空間Ｓ１内を図１の矢印方向に流れ、各吹出装置１１に導入される。
【００３２】
各吹出装置１１においては、モータ１３によってファン１４が回転駆動されることにより、図２及び図３に矢印にて示すように、給気ＳＡがハウジング１２の複数の吸気口１２ａから吸気室Ｓａに流入し、該吸気室Ｓａに開口するファン１４の吸入口１４ａからファン１４内に吸い込まれる。そして、ファン１４内に吸い込まれた給気ＳＡは、回転するファン１４から受ける遠心力によって径方向外方へと吐出され、図２に矢印にて示すように、流体素子モジュール１５の下端開口部２６ｂから通路２６へと流入し、通路２６内を上方へ向かって流れる。これと同時に、給気ＳＡの一部は、開状態にある一方の配管（図示例では、配管２１）から一方の室（図示例では、室Ｓｘ）に流入する。図示例のように、一方の配管２１から一方の室Ｓｘに流入した給気ＳＡは、隔壁１９に開口する前記流出口２７から通路２６へと水平に吐出される（図４参照）。
【００３３】
ところで、一般に空気等の流体は壁面に沿って流れるが、上述のように、一方の室Ｓｘからの給気ＳＡが流出口２７から水平に吐出されると、通路２６を上方に向かって流れる給気ＳＡは、その流れ方向が他方の隔壁２０の傾斜面２０ａに沿って流れるように変えられ、この流れによる動圧によって他方の室内Ｓｙは負圧に保たれる。従って、流体素子モジュール１５の上端開口部２６ａから吹き出される給気ＳＡは、床１の吹出口から一定の流速でタスク域Ｓの個人Ｍに向かって図７の矢印Ａ方向へと吹き出され、個人Ｍの周囲を快適な温度空間に保つ。
【００３４】
次に、前記制御手段２５からの制御信号によってソレノイド２３が駆動され、バルブ２４によって一方の配管２１が閉じられ、他方の配管２２が開けられると、給気ＳＡの一部は、配管２２から他方の室Ｓｙ内に流入し、隔壁２０に形成された流出口２８から通路２６に向かって水平に吐出され（図４参照）、通路２６を上方に向かって流れる給気ＳＡの流れ方向を変え、給気ＳＡは隔壁１９の傾斜面１９ａに沿って流れる。従って、流体素子モジュール１５の上端開口部２６ａから吹き出される給気ＳＡは、床１の吹出口から一定の流速でタスク域Ｓ以外のアンビエント域に向かって図７の矢印Ｂ方向へと吹き出される。
【００３５】
従って、流体素子モジュール１５においては、ソレノイド２３によって駆動されるバルブ２４を交互に切り換えて配管２１，２２を交互に開閉することによって給気ＳＡの吹出方向がタスク域Ｓに向かうＡ方向とそれ以外のアンビエント域に向かう矢印Ｂ方向に交互に切り換えられ、これによってタスク域Ｓにおいては給気ＳＡが振幅拡散される。
【００３６】
そして、タスク域Ｓの空調に供された空調空気は、パソコン等のＯＡ機器２９（図１参照）及び個人Ｍからの熱等によって暖められて居住空間内を上昇し、天井２の照明機器６の周囲に形成された不図示の排出口から天井裏空間Ｓ２へと排出され、天井裏空間Ｓ２を還気ＲＡとして図１の矢印方向に流れて壁裏空間Ｓ３へと導かれ、そこに設置されたフィルタ７を通過して浄化された後、室内熱交換器８によって再度所定温度まで冷却され、給気ＳＡとしてファン１０によって床下空間Ｓ１へと送られ、各吹出装置１１によって再びタスク域Ｓへと吹き出されて振幅拡散される。以後、同様の作用が繰り返され、タスク域Ｓは、振幅拡散される給気ＳＡによって空調される。
【００３７】
ところで、本実施の形態に係るタスクアンビエント空調システムにおいては、吹出装置１１の流体粒子モジュール１５によって給気ＳＡをタスク域Ｓに向けて吹き出す時間とそれ以外のアンビエント域に向けて吹き出す時間を制御することによって、タスク域Ｓ、特に個人Ｍへの温度調整を行うようにしている。即ち、図６に示すように、給気ＳＡの吹出方向の切り換えのサイクルを一定とした場合、そのサイクル中において個人Ｍに向けて吹き出す時間の割合を個人Ｍの要求に応じて調整することによって、冷房の強弱（個人の体感温度）を調整するようにしている。具体的には、図６に示すように、冷房が「弱」→「中」→「強」と調整されるに従って給気ＳＡを個人Ｍに向けて吹き出す時間の割合を大きくしている。尚、冷房の調整方式としては「弱」→「中」→「強」と段階的に調整する方式に限らず、「弱」→「強」の範囲で無段階に調整する方式を採用することができる。
【００３８】
このように、本実施の形態においては、吹出装置１１の流体素子モジュール１５の吹出面積を調整することなく、つまり、流体素子モジュール１５の上端開口部２６ａの面積を絞ることなく、給気ＳＡの吹出流速を一定に保ちつつ、タスク域Ｓの温度調整を個人Ｍに向けて吹き出す時間を調整することによって行うようにしたため、給気ＳＡが個人Ｍまで十分届き、タスク域Ｓにおける個人Ｍの快適性要求を十分満足させることができるとともに、アンビエント域の空調も同時に行うことができる。
【００３９】
尚、冷房の強弱、つまり、給気ＳＡを個人Ｍに向けて吹き出す時間の調整は、ワイヤレスリモコン３０（図１及び図４参照）による遠隔操作によって制御手段２５に記憶されている設定値を変更することによって容易になされる。
【００４０】
他方、冬期における暖房運転時においては、壁裏空間Ｓ３に設置された室内熱交換器８がコンデンサとして機能し、この室内熱交換器８において冷媒の凝縮潜熱によって加熱された温度の高い空調空気（給気ＳＡ）は、ファン１０によって床下空間Ｓ１内を図１の矢印方向に流れ、各吹出装置１１からタスク域Ｓへと吹き出されるが、この場合も各吹出装置１１の流体素子モジュール１５によって給気ＳＡの吹出方向が交互に切り換えられるとともに、給気ＳＡを個人Ｍに向けて吹き出す時間を調整することによって、タスク域Ｓにおける個人Ｍの温度特性が改善されるとともに、個人Ｍの快適性要求を十分満足させることができるとともに、アンビエント域の空調も同時に行うことができる。具体的には、図６に示すように、暖房が「弱」→「中」→「強」と調整されるに従って給気ＳＡを個人Ｍに向けて吹き出す時間の割合が大きくなるよう調整される。尚、暖房の調整方式としては「弱」→「中」→「強」と段階的に調整する方式に限らず、「弱」→「強」の範囲で無段階に調整する方式を採用することができる。
【００４１】
又、冷暖房が不要な時期には、ファン１０のみが駆動され、外気による換気がなされるとともに、必要に応じて加湿器９による空気の湿度調整がなされる。
【００４２】
而して、本実施の形態に係るタスクアンビエント空調システムによれば、前述のようにタスク域Ｓにおける個人Ｍの温度特性が改善されるとともに、アンビエント域の空調も同時に行うことができるため、個人の快適性要求が十分満足されて省エネになる他、吹出装置１１には空調空気（給気ＳＡ）に旋回を与えるための可動部等が設けられていないため、その構造が単純化してコストダウンが図られるとともに、ゴミ等の付着に起因する故障の発生が抑えられ、掃除もし易くなる。
【００４３】
又、本実施の形態では、床下空間Ｓ１と天井裏空間Ｓ２及び壁裏空間Ｓ３で空調空気の循環路を形成し、その循環路の一部である壁裏空間Ｓ３部分に空調ユニットの一部を構成する室内機（フィルタ７、室内熱交換器８、加湿器９及びファン１０）を設置したため、空調空気を循環させるためのダクトを別途設ける必要がなく、又、１台の室内機でタスク域Ｓとアンビエント域の空調を賄うことができ、システム構成の単純化とコストダウンを図ることができる。尚、空調ユニットとしては、本実施の形態において使用した直膨システムに限らず、冷温水コイルを用いた空調システム等も使用することができる。
【００４４】
ところで、本実施の形態では、吹出装置１１に設けられる気流切換手段として流体素子モジュール１５を用いたが、気流切換手段としては、図８に示すようなダンパユニット３１を用いても良い。即ち、図８はダンパユニットの縦断面図であり、図示のダンパユニット３１においては、ケーシング３２内に形成された通路３３にダンパ３４を回動可能に設け、このダンパ３４をモータ３５によって図示矢印方向に回動させることによって、通路３３を上方に向かって流れる給気ＳＡの吹出方向を切り換えることができる。尚、モータ３５波制御手段２５によって駆動が制御され、給気ＳＡを個人に向けて吹き出す時間の調整（つまり、ダンパ３４の切換タイミングの調整）は、ワイヤレスリモコン３０による遠隔操作によって制御手段２５に記憶されている設定値を変更することによって容易になされる。
【００４５】
又、室内機のファン１０の圧力が十分高く、気流が居住空間の隅々まで十分行き渡る場合には、吹出装置１１にファン１４を設ける必要はなく、流体素子モジュール１５やダンパユニット３１のみで吹出装置１１を構成することができる。
【産業上の利用可能性】
【００４６】
本発明は、床吹き出し方式によって室内のタスク域とアンビエント域を空調するタスクアンビエント空調システム全般に適用可能である。
【図面の簡単な説明】
【００４７】
【図１】本発明に係るタスクアンビエント空調システムの基本構成を示すオフィスビルのフロア縦断面図である。
【図２】本発明に係るタスクアンビエント空調システムに用いられる吹出装置の側面図である。
【図３】本発明に係るタスクアンビエント空調システムに用いられる吹出装置の平面図である。
【図４】本発明に係るタスクアンビエント空調システムに用いられる吹出装置の基本構成と作用を示す流体素子モジュールの断面図である。
【図５】別形態に係る流体素子モジュールの斜視図である。
【図６】空調空気（給気ＳＡ）の吹出方向と吹出時間の制御を示すタイミングチャートである。
【図７】本発明に係るタスクアンビエント空調システムにおいて吹出装置から吹き出される空調空気（給気ＳＡ）の振幅拡散の様子を示す部分断面図である。
【図８】別形態に係る吹出装置に用いられるダンパユニットの基本構成と作用を示す断面図である。
【図９】従来のタスクアンビエント空調システムにおいて吹出装置から吹き出される空調空気（給気ＳＡ）の旋回流の様子を示す部分断面図である。
【図１０】従来のタスクアンビエント空調システムにおいて吹出装置から吹き出される空調空気（給気ＳＡ）の旋回流と個人吹出口の様子を示す部分断面図である。
【符号の説明】
【００４８】
１      床
２      天井
３      側壁
７      フィルタ
８      室内熱交換器
９      加湿器
１０    ファン
１１    吹出装置（吹出手段）
１３    モータ
１４    ファン
１５    流体素子モジュール（気流切換手段）
２３    ソレノイド
２４    バルブ
２５    制御手段
２６    通路
３０    ワイヤレスリモコン
３１    ダンパユニット（気流切換手段）
３３    通路
３４    ダンパ
３５    モータ
Ａ      個人に向かう給気の流れ方向
Ｂ      共通域向かう給気の流れ方向
Ｍ      個人（就業者）
Ｓ      タスク域
Ｓ１    床下空間
Ｓ２    天井裏空間
Ｓ３    壁裏空間
ＳＡ    給気
ＲＡ    還気
【図１】
2006170471.tif 000003
【図２】
2006170471.tif 000004
【図３】
2006170471.tif 000005
【図４】
2006170471.tif 000006
【図５】
2006170471.tif 000007
【図６】
2006170471.tif 000008
【図７】
2006170471.tif 000009
【図８】
2006170471.tif 000010
【図９】
2006170471.tif 000011
【図１０】
2006170471.tif 000012